(57)【要約】【課題】製造が容易で、床面積が小さく薄型のスイッチを提供することにある。【解決手段】少なくとも１つの切換用固定接点２５を底面から露出させ、対向した少なくとも一対の側壁を有する凹部からなるベース１０と、前記ベース１０の側壁に回動可能に支持された操作レバー３０と、前記ベース１０の底面上をスライド移動可能に配置され、かつ、前記操作レバー３０のカム部３２に押圧されて前記ベース１０の対向する側壁にガイドされつつスライド移動するスライダー４０と、前記スライダー４０による押圧，解除で伸縮するように前記ベース１０の底面に配置され、一端側のアーム部５３を前記ベース１０の底面上をスライド移動可能に配置し、かつ、前記切換用固定接点２５に接離可能に配置した導電性コイルバネ５０と、からなる。そして、前記コイルバネ５０の軸心は、前記スライダー４０の移動方向と平行に配置されている。【選択図】図４
2008010175.tif 000002
【特許請求の範囲】
【請求項１】
少なくとも１つの切換用固定接点を底面から露出させ、対向した少なくとも一対の側壁を有する凹部からなるベースと、前記ベースの側壁に回動可能に支持された操作レバーと、前記ベースの底面上をスライド移動可能に配置され、かつ、前記操作レバーのカム部に押圧されて前記ベースの対向する側壁にガイドされつつスライド移動するスライダーと、前記スライダーによる押圧，解除で伸縮するように前記ベースの底面に配置され、一端側のアーム部を前記ベースの底面上をスライド移動可能に配置し、かつ、前記切換用固定接点に接離可能に配置した導電性コイルバネと、からなり、
前記コイルバネの軸心を、前記スライダーの移動方向と平行に配置したことを特徴とするスイッチ。
【請求項２】
コイルバネの軸心がスライダーの中央部に交差していることを特徴とする請求項１に記載のスイッチ。
【請求項３】
コイルバネの軸心がスライダーの中央部から偏心した位置で交差していることを特徴とする請求項１に記載のスイッチ。
【請求項４】
ベースの底面から露出する共通固定接点に、コイルバネのコイル部が接触することを特徴とする請求項１ないし３のいずれか１項に記載のスイッチ。
【請求項５】
ベースの内側面から露出する共通固定接点に、コイルバネの他端部が接触することを特徴とする請求項１ないし４のいずれか１項に記載のスイッチ。
【発明の詳細な説明】
【技術分野】
【０００１】
本発明はスイッチ、特に、プリント基板等に表面実装するスイッチに関する。
【背景技術】
【０００２】
従来、表面実装するスイッチとしては、例えば、操作体１６を押し下げることにより、アーチ状弾性金属薄板製の可動接点体１４を反転させ、接点を開閉するスイッチがある（特許文献１参照）。
【０００３】
また、操作レバー５を押し下げ、コイルバネからなる可動接点４を捩ることにより、第２のアーム４ｃを切換接点３に接離し、接点を開閉するスイッチがある（特許文献２参照）。
【特許文献１】特開２０００−２４３１８４号公報
【特許文献２】特開２００２−２１６５８９号公報
【発明の開示】
【発明が解決しようとする課題】
【０００４】
しかしながら、前者であれば、可動接点体１４がアーチ状板バネで構成されているため、所望の接触圧や接点寿命を確保しようとすると、前記可動接点体１５全体を大きくする必要があり、床面積の小さい小型スイッチは得られない。
【０００５】
また、後者であれば、可動接点４の第２のアーム４ｃが上下方向に変位するため、スイッチ本体が高くなり、薄型化に限界がある。さらに、可動接点４の第２のアーム４ｃが接触する切換接点３は、その形状が複雑であるので、高い部品精度、組立精度が必要であり、製造に手間がかかり、安価なスイッチが得られないという問題点がある。
【０００６】
本発明は、前記問題点に鑑み、製造が容易で、床面積が小さい薄型のスイッチを提供することを課題とする。
【課題を解決するための手段】
【０００７】
本発明にかかるスイッチは、前記課題を解決すべく、内面に共通固定接点を露出させるとともに、少なくとも１つの切換用固定接点を底面から露出させたベースと、前記ベースに回動可能に支持された操作レバーと、前記ベースの底面上をスライド可能に配置され、かつ、前記操作レバーのカム部に押圧されてスライド移動するスライダーと、前記スライダーによる押圧，解除で伸縮するように前記ベースの底面に配置され、一端側のアーム部を前記共通固定接点に接触しているとともに、他端側のアーム部を前記切換用固定接点に接離可能に配置した導電性コイルバネと、からなり、前記コイルバネの軸心を、前記スライダーの移動方向と平行に配置した構成としてある。
【発明の効果】
【０００８】
本発明によれば、操作レバーを回動させてスライダーをスライドさせることにより、導電性コイルバネが伸縮し、そのアーム部が切換用固定接点に接離して接点を切り換える。このため、所望の接点圧や接点寿命を確保する場合であっても、従来例のようにアーチ状板バネ全体を大きくする必要がなく、床面積の小さいスイッチが得られる。
特に、コイルバネがスライド方向に伸縮して引張力および圧縮力が変動しても、アーム部のベース底面に対する接触力がほぼ一定であるので、接触信頼性が高い。
また、導電性コイルバネは軸心方向に伸縮するので、従来例のようにスイッチ本体が高くなることがなく、薄型化が容易である。さらに、共通固定接点および切換用固定接点はベースの内面および底面にそれぞれ露出しているだけでよい。このため、従来例のように高い部品精度および組立精度が不要であり、製造が容易で動作特性が安定した安価なスイッチが得られる。
さらに、必要に応じて切換用固定接点の配置を選択するだけで常閉接点タイプあるいは常開接点タイプ等のスイッチの製造が可能であり、また、操作レバーの形状を変更するだけで操作方向を容易に変更できる。このため、部品の組合せによって多種多様なスイッチが得られ、これに伴って部品の共用化が容易になり、より一層安価なスイッチが得られる。
【０００９】
本発明にかかる実施形態としては、コイルバネの軸心がスライダーの中央部に交差していてもよい。
本実施形態によれば、コイルバネのバネ力がスライダーに均等に伝わり、スライダーが円滑にスライドするスイッチが得られる。
【００１０】
本発明にかかる他の実施形態としては、コイルバネの軸心がスライダーの中央部から偏心した位置で交差していてもよい。
本実施形態によれば、コイルバネのバネ力がスライダーに偏って伝わっても、スライダーが側壁にガイドされるので、安定した動作を確保できる。また、スペース効率が改善され、床面積の小さいより一層小型のスイッチが得られる。
【００１１】
本発明にかかる別の実施形態としては、ベースの底面から露出する共通固定接点に、コイルバネのコイル部を接触させておいてもよい。
本実施形態によれば、共通固定接点が、切換用固定接点と同様、ベースの底面から露出しているので、組み付け作業が容易で生産性の高いスイッチが得られる。
【００１２】
本発明にかかる異なる実施形態としては、ベースの内側面から露出する共通固定接点に、コイルバネの他端側のアーム部を接触させておいてもよい。
本実施形態よれば、前述の効果に加え、圧縮されたコイルバネのバネ力でコイルバネの他端部が共通固定接点に常時、圧接し、接触信頼性の高いスイッチが得られるという効果がある。
【発明を実施するための最良の形態】
【００１３】
本発明にかかる実施形態を図１ないし図３５の添付図面に従って説明する。
第１実施形態は、図１ないし図５に示すように、常開接点を有するスイッチに適用した場合である。
すなわち、前記スイッチは、共通固定接点端子２０および切換用固定接点端子２４をインサート成形した平面方形のベース１０と、前記ベース１０に回動可能に支持される操作レバー３０と、前記操作レバー３０に押圧されてスライド移動するスライダー４０と、前記スライダー４０の押圧，解除で伸縮する導電性を有するコイルバネ５０と、前記ベース１０を被覆するカバー６０とで構成されている。なお、実際に組み立てた製品の一例としては、レバーを除いた全体高さ０．９ｍｍ、ベース幅３．０ｍｍ、長さ３．５ｍｍの外形寸法を有している。
【００１４】
前記ベース１０は、図２に示すように、その上面周辺縁部に沿って側壁１１，１２，１３を連続的に突設するとともに、対向する前記側壁１１および１３に、共通固定接点端子２０および切換用固定接点端子２４をそれぞれインサート成形してある。また、前記ベース１０は、側壁１１および側壁１３の底面両側縁部に、後述するカバー６０の係合爪部６１，６２および６３（図示せず），６４を係合する位置決め用段部１１ａ，１１ａおよび１３ａ，１３ａ（図示せず）を設けてある。さらに、前記側壁１１，１３の対向する内側面縁部に軸受け凹部１１ｂ，１３ｂが同一軸心上に形成されている。そして、前記ベース１０の内底面隅部に略Ｌ字形の突部１４が突設され、後述するコイルバネ５０を収納するための収納溝１５が形成されている。なお、前記突部１４の一端部には切り欠き部１４ａを設けてある。
【００１５】
共通固定接点端子２０は、共通固定接点２１を前記ベース１０の内底面から露出しているとともに、略直角に曲げ起こした端子部２２を側壁１１の外側面から側方に突出している。また、切換用固定接点端子２４は切換用固定接点２５を前記ベース１０の内底面から露出しているとともに、略直角に曲げ起こした端子部２６を側壁１３の外側面から側方に突出している。なお、前記ベース１０の内底面には、前記固定接点２１，２５の浮き上がりを防止する浮き止め用突起１６を突設するとともに、絶縁部１７を形成してある。
【００１６】
操作レバー３０は、その両側縁部から一対の軸部３１，３１を同一軸心上に突設してあるとともに、前記軸部３１，３１の間にカム部３２を設けてある。さらに、前記カム部３２の中央部には角状の位置規制用突部３３を突設してある。一方、前記操作レバー３０は、その自由端側の下面に位置規制用突条３４を突設してある。
したがって、前記ベース１０の軸受け凹部に１１ｂ，１３ｂに操作レバー３０の軸部３１，３１を嵌合することにより、前記操作レバー３０は回動可能に支持されるとともに、前記位置規制用突条３４で回り止めされる。
【００１７】
スライド片４０は、前記ベース１０の側壁１１，１３の内側面にガイドされて摺動できる直方体形状を有する。そして、図２Ａに示すように、手前側の側面に操作レバー３０のカム部３２から押圧力を受ける受圧面４１を形成してあるとともに、その中央部に位置規制用凹部４２を設けてある。一方、前記受圧面４１の反対側の側面には後述するコイルバネ５０の脱落を防止する抜け止め突起４３（図３Ａ）を突設してある。
【００１８】
導電性コイルバネ５０は、圧縮バネおよび捩りバネの機能を備え、円筒状のコイル部５１の両端からアーム部５２，５３を反対方向に延在してある。そして、前記アーム部５２，５３は、その自由端部を屈曲することにより、接点部５２ａ、５３ａをそれぞれ形成してある。
【００１９】
カバー６０は、前記ベース１０を被覆可能な平面形状を有し、外周隅部から延在し、かつ、垂直に折り曲げて形成した係合爪部６１、６２、６３（図示せず）、６４を有している。
【００２０】
本実施形態にかかるスイッチを組み立てるには、図２ないし図４に示すように、ベース１０の側壁１１，１３の内側面間にスライダー４０を摺動可能に配置する。そして、前記ベース１０の収納溝１５にコイルバネ５０のコイル部５１を収納し、コイルバネ５０のアーム部５２を前記ベース１０の切り欠き部１４ａに係合するとともに、アーム部５３を絶縁部１７に位置決めする。このとき、コイルバネ５０のコイル部５１はベース１０の底面から若干、浮き上がった状態になっている。ついで、操作レバー３０の一対の軸部３１，３１を、前記ベース１０の軸受け凹部１１ｂ，１３ｂに嵌合することにより、操作レバー３０のカム部３２が前記スライド片４０の受圧面４１に圧接する。さらに、この状態を保ちつつ、前記ベース１０にカバー６０を上方から装着し、浮き上がったコイルバネ５０をベース１０の底面に押し下げる。ついで、前記ベース１０の位置決め用段部１１a、１３ｂ、にカバー６０の係合爪部６１、６２、６３（図示せず）、６４を、それぞれ折り曲げて係合することにより、組立が完了する。
【００２１】
本実施形態によれば、カバー６０で浮き上がったコイルバネ５０を押圧し、ベース１０の収納部１５に収納することにより、前記コイルバネ５０に捩りおよび圧縮が生じる。このため、コイルバネ５０の一端側の接点部５２ａが所定の接触力で共通固定接点２１と圧接するとともに、コイルバネ５０の他端側の接点部５３aが所定の接触力で前記ベース１０の絶縁部１７に圧接する。さらに、前記コイルバネ５０は、前記スライダー４０を介して操作レバー３０に復帰力を付与する。
【００２２】
次に、図３に示すように、前記操作レバー３０に矢印ＸあるいはＹの方向から外力が負荷されると、前記コイルバネ５０のバネ力に抗して操作レバー３０が軸部３１を中心に回動する。このため、操作レバー３０のカム部３２がスライダー４０の受圧面４１を押圧し、スライダー４０は前記ベース１０内をスライド移動し、コイルバネ５０のコイル部５１を圧縮する。このため、図４に示すように、前記コイルバネ５０の接点部５３aが前記ベース１０の絶縁部１７上を摺動し、切換用固定接点２５と接触する。これにより、共通固定接点２１，切換用固定接点２５はコイルバネ５０を介して短絡し、固定接点端子２０、２４は導通状態になる。
【００２３】
さらに、図５に示すように、操作レバー３０が押し込まれると、アーム部５３の接点部５３ａは固定接点２５上を摺動し、固定接点端子２０、２４は導通状態を保ち続ける。さらに、操作レバー３０が押し込まれると、操作レバー３０の突条３４が床面に当接し、操作レバー３０は停止する。
【００２４】
ついで、前述の負荷を解除すると、コイルバネ５０のバネ力でスライダー４０を介して操作レバー３０が押し戻され、コイルバネ５０の接点部５３ａが固定接点２５から開離し、絶縁部１７に接触することにより、固定接点端子２０、２４は不導通状態になる。
【００２５】
本発明にかかる第２実施形態は、図６ないし図１０に示すように、基本的構造は前述の第１実施形態とほぼ同様であり、異なる点は、共通固定接点端子２０に対するコイルバネ５０の接続構造である。
すなわち、ベース１０の内底面のうち、第１実施形態と異なる隅部に略Ｌ字形の突部１４が突設され、収納溝１５が形成されているとともに、その一端部に切り欠き部１４ａを設けてある。
【００２６】
共通固定接点端子２０は、図７Ｂに示すように、共通固定接点２１の縁部を延在させて曲げ起こして第２共通固定接点２３を形成してある。このため、前記共通固定接点端子２０をベース１０にインサート成形することにより、内側面に前記第２共通固定接点２３が露出する。
【００２７】
コイルバネ５０は、図７Ａに示すように、円筒状のコイル部５１の両端からアーム部５２，５３を略直角方向にそれぞれ延在してある。そして、前記アーム部５２，５３は、その自由端部を屈曲することにより、接点部５２ａ、５３ａをそれぞれ形成してある。
【００２８】
そして、ベース１０の側壁１１，１３の内側面間にスライダー４０を摺動可能に配置する。そして、前記ベース１０の収納溝１５にコイルバネ５０のコイル部５１を圧縮させて収納し、コイルバネ５０のアーム部５２を前記ベース１０の切り欠き部１４ａに位置決めするとともに、アーム部５３を絶縁部１７上に位置決めする。このとき、コイルバネ５０のアーム部５２は略垂直に起立した状態になっている。ついで、操作レバー３０の一対の軸部３１を、前記ベース１０の軸受け凹部１１ｂ，１３ｂに嵌合することにより、操作レバー３０のカム部３２が前記スライド片４０の受圧面４１に圧接する。さらに、この状態を保ちつつ、前記ベース１０にカバー６０を上方から装着し、起立するアーム部５２を切り欠き部１４ａに押し下げる。ついで、前記ベース１０の位置決め用段部１１a、１３ｂに、カバー６０の係合爪部６１、６２、６３（図示せず）、６４を、それぞれ折り曲げて係合することにより、組立が完了する。
【００２９】
本実施形態によれば、カバー６０で起立するアーム部５２を押し下げ、切り欠き部１４ａに係合することにより、前記コイルバネ５０に捩りが生じる。このため、コイルバネ５０の一端側の接点部５３ａが所定の接触力で前記ベース１０の絶縁部１７に圧接する。また、前記コイルバネ５０は圧縮されて収納溝１５内に保持されているので、前記コイルバネ５０のアーム部５２が第２共通固定接点に圧接しているとともに、前記スライダー４０を介して操作レバー３０に復帰力を付与する。
【００３０】
次に、図８に示すように、前記操作レバー３０に矢印ＸあるいはＹの方向から外力が負荷されると、前記コイルバネ５０のバネ力に抗して操作レバー３０が軸部３１を中心に回動する。このため、操作レバー３０のカム部３２がスライダー４０の受圧面４１を押圧し、スライダー４０は前記ベース１０内をスライド移動し、コイルバネ５０のコイル部５１を圧縮する。このため、図９に示すように、前記コイルバネ５０の接点部５３ａが前記ベース１０の絶縁部１７上を摺動し、切換用固定接点２５と接触する。これにより、第２共通固定接点２３，切換用固定接点２５はコイルバネ５０を介して短絡し、固定接点端子２０、２４は導通状態になる。
【００３１】
さらに、図１０に示すように、操作レバー３０が押し込まれると、アーム部５３の接点部５３ａは固定接点２５上を摺動し、固定接点端子２０、２４は導通状態を保ち続ける。さらに、操作レバー３０が押し込まれると、操作レバー３０の突条３４が床面に当接し、操作レバー３０は停止する。
【００３２】
ついで、前述の負荷を解除すると、コイルバネ５０のバネ力でスライダー４０を介して操作レバー３０が押し戻され、コイルバネ５０の接点部５３ａが固定接点２５から開離し、絶縁部１７に接触することにより、固定接点端子２０、２４は不導通状態になる。
【００３３】
第３実施形態は、図１１ないし図１５に示すように、前述の実施形態と基本的構造はほぼ同様であり、異なる点はコイルバネ５０をベース１０の中央に配置せず、隅部に配置した点である。本実施形態によれば、スペース効率が向上し、特に、前述の実施例よりも横巾寸法の小さいスイッチが得られるという利点がある。他は前述の実施形態とほぼ同様であるので、同一部分に同一番号を附して説明を省略する。
【００３４】
第４実施形態は、図１６ないし図１９に示すように、前述の第３実施形態と基本的にほぼ同じであり、異なる点は常閉接点を有するスイッチに適用した場合である。
すなわち、図１６に示すように、切換用固定接点端子２４の切換用固定接点２５はベース１０の内底面から露出しているとともに、浮き止め突起１６で浮き上がりを規制されている。そして、前記切換用固定接点２５には絶縁部１７が隣接するように設けられている。このため、前記ベース１０の収納溝１５にコイルバネ５０を圧縮させて収納することにより、アーム部５３の接点部５３ａが前記切換用固定接点２５に所定の接触力で接触する。このため、第２共通固定接点２３および切換用固定接点２５はコイルバネ５０を介して短絡し、固定接点端子２０、２４は導通状態にある。
【００３５】
そして、図１７に示すように、前記操作レバー３０に矢印ＸあるいはＹの方向から外力が負荷されると、前記コイルバネ５０のバネ力に抗して操作レバー３０が軸部３１を中心に回動する。このため、操作レバー３０のカム部３２がスライダー４０の受圧面４１を押圧し、スライダー４０は前記ベース１０内をスライド移動し、コイルバネ５０のコイル部５１を圧縮する。このため、図１８示すように、前記コイルバネ５０の接点部５３aが前記切換用固定接点２５上を摺動し、絶縁部１７と接触する。これにより、固定接点端子２０、２４は不導通状態になる。
【００３６】
さらに、操作レバー３０が押し込まれると、アーム部５３の接点部５３ａは固定接点２５上を摺動し、固定接点端子２０、２４は不導通状態を保ち続ける。そして、図１９に示すように、操作レバー３０が押し込まれると、操作レバー３０の突条３４が床面に当接し、操作レバー３０は停止する。
【００３７】
ついで、前述の負荷を解除すると、コイルバネ５０のバネ力でスライダー４０を介して操作レバー３０が押し戻されるとともに、コイルバネ５０の接点部５３ａが絶縁部１７から開離し、固定接点２５に接触することにより、固定接点端子２０、２４は導通状態になる。
【００３８】
第５実施形態は、図２０ないし図２５に示すように、前述の第４実施形態とほぼ同様であり、異なる点は、２種類の回路を切り換えられるスイッチに適用した場合である。
すなわち、本実施形態では、図２１に示すように、ベース１０には共通固定接点端子２０と、一対の切換用固定接点２４，２７をインサート成形してある。このため、ベース１０の内底面に絶縁部１７を間にして切換用固定接点端子２４，２７の切換用固定接点２５，２８が露出している。そして、前記ベース１０の収納溝１５に圧縮させてコイルバネ５０を収納することにより、アーム部５３の接点部５３ａが切換用固定接点２５に所定の接触力で接触しているとともに、切換用固定接点２８に接離可能となる。なお、２９は切換用固定接点端子２７の端子部である。
【００３９】
したがって、図２２に示すように、前記操作レバー３０に矢印ＸあるいはＹの方向から外力が負荷されると、前記コイルバネ５０のバネ力に抗して操作レバー３０が軸部３１を中心に回動する。このため、操作レバー３０のカム部３２がスライダー４０の受圧面４１を押圧し、スライダー４０は前記ベース１０内をスライド移動し、コイルバネ５０のコイル部５１を圧縮する。このため、図２３に示すように、前記コイルバネ５０の接点部５３ａが前記ベース１０の切換用固定接点２５上を摺動し、絶縁部１７を通過した後、切換用固定接点２８と接触する。これにより、第２共通固定接点２３，切換用固定接点２８はコイルバネ５０を介して短絡し、固定接点端子２０、２７が導通状態になる。
【００４０】
さらに、図２４に示すように、操作レバー３０が押し込まれると、アーム部５３の接点部５３ａは固定接点２８上を摺動し、固定接点端子２０、２７は導通状態を保ち続ける。さらに、操作レバー３０が押し込まれると、図２５に示すように、操作レバー３０の突条３４が床面に当接し、操作レバー３０は停止する。
【００４１】
ついで、前述の負荷を解除すると、コイルバネ５０のバネ力でスライダー４０を介して操作レバー３０が押し戻され、コイルバネ５０の接点部５３ａが固定接点２８から開離し、絶縁部１７を通過して固定接点２５に接触することにより、固定接点端子２０、２４が導通状態になる。
【００４２】
第６実施例形態は、図２６ないし図３０に示すように、前述の第３実施形態と基本的に同じであり、異なる点は操作レバー３０の回動方向である。
すなわち、本実施形態にかかる操作レバー３０は下方向から上方に向けて外力が負荷された場合に立ち上がるように回動するので、前記操作レバー３０には前述の実施形態のような位置規制用突状３４は設けられていない。
【００４３】
そして、図２８に示すように、前記操作レバー３０にＹの方向から外力が負荷されると、前記コイルバネ５０のバネ力に抗して操作レバー３０が軸部３１を中心に回動する。このため、操作レバー３０のカム部３２がスライダー４０の受圧面４１を押圧し、スライダー４０は前記ベース１０内をスライド移動し、コイルバネ５０のコイル部５１を圧縮する。このため、図２９示すように、前記コイルバネ５０の接点部５３ａが前記ベース１０の絶縁部１７上を摺動し、切換用固定接点２５に接触する。これにより、第２共通固定接点２３，切換用固定接点２５はコイルバネ５０を介して短絡し、固定接点端子２０、２４は導通状態になる。
【００４４】
さらに、図３０に示すように、操作レバー３０が押し上げられて停止すると、アーム部５３の接点部５３ａは固定接点２５上を摺動し、固定接点端子２０、２４は導通状態を保ち続ける。
【００４５】
ついで、前述の負荷を解除すると、コイルバネ５０のバネ力でスライダー４０を介して操作レバー３０が押し戻され、コイルバネ５０の接点部５３ａが固定接点２５から開離し、絶縁部１７に接触することにより、固定接点端子２０、２４は不導通状態になる。
【００４６】
第７実施形態は、図３１ないし図３５に示すように、前述の第６実施形態と基本的に同じである。そして、第６実施形態と異なる点は、操作レバー３０が略Ｌ字形状であり、組み立て完了状態（スイッチの自由位置）で操作レバー３０がスイッチ本体側に傾斜していることである。
【００４７】
このため、操作レバー３０に、図３３に示すように、矢印ＸおよびＹの方向から外力が負荷されると、前記コイルバネ５０のバネ力に抗して操作レバー３０が軸部３１を中心に回動する。このため、操作レバー３０のカム部３２がスライダー４０の受圧面４１を押圧し、スライダー４０は前記ベース１０内をスライド移動し、コイルバネ５０のコイル部５１を圧縮する。このため、図３４に示すように、前記コイルバネ５０の接点部５３ａが前記ベース１０の絶縁部１７上を摺動し、切換用固定接点２５に接触する。これにより、第２共通固定接点２３，切換用固定接点２５はコイルバネ５０を介して短絡し、固定接点端子２０、２４は導通状態になる。
【００４８】
さらに、図３５に示すように、操作レバー３０が押し下げられると、アーム部５３の接点部５３ａは固定接点２５上を摺動し、固定接点端子２０、２４は導通状態を保ち続ける。そして、操作レバー３０はカバー６０に当接して停止する。
【００４９】
ついで、前述の負荷を解除すると、コイルバネ５０のバネ力でスライダー４０を介して操作レバー３０が押し戻されるとともに、コイルバネ５０の接点部５３ａが固定接点２５から開離し、絶縁部１７に接触することにより、固定接点端子２０、２４は不導通状態になる。
【産業上の利用可能性】
【００５０】
本発明は、前述のスイッチに限らず、他の形態のスイッチにも適用できる。
【図面の簡単な説明】
【００５１】
【図１】図１Ａおよび図１Ｂ，１Ｃは本発明にかかるスイッチの第１実施形態を示す斜視図、および、カバーを外した動作前後を示す斜視図である。
【図２】図２Ａは図１Ａで示したスイッチの分解斜視図、図２Ｂは図２Ａで示したベースの端子だけを示す斜視図である。
【図３】図３Ａおよび図３Ｂはカバーを外した動作前を示す平面図、および、カバーを取り付けた動作前を示す断面図である。
【図４】図４Ａおよび図４Ｂはカバーを外した動作途中を示す平面図、および、カバーを取り付けた動作途中を示す断面図である。
【図５】図５Ａおよび図５Ｂはカバーを外した動作後を示す平面図、および、カバーを取り付けた動作後を示す断面図である。
【００５２】
【図６】図６Ａおよび図６Ｂ，６Ｃは本発明にかかるスイッチの第２実施形態を示す斜視図、および、カバーを外した動作前後を示す斜視図である。
【図７】図７Ａは図６Ａで示したスイッチの分解斜視図、図７Ｂは図７Ａで示したベースの端子だけを示す斜視図である。
【図８】図８Ａおよび図８Ｂはカバーを外した動作前を示す平面図、および、カバーを取り付けた動作前を示す断面図である。
【図９】図９Ａおよび図９Ｂはカバーを外した動作途中を示す平面図、および、カバーを取り付けた動作途中を示す断面図である。
【図１０】図１０Ａおよび図１０Ｂはカバーを外した動作後を示す平面図、および、カバーを取り付けた動作後を示す断面図である。
【００５３】
【図１１】図１１Ａおよび図１１Ｂ，１１Ｃは本発明にかかるスイッチの第３実施形態を示す斜視図、および、カバーを外した動作前後を示す斜視図である。
【図１２】図１２Ａは図１１Ａで示したスイッチの分解斜視図、図１２Ｂは図１２Ａで示したベースの端子だけを示す斜視図である。
【図１３】図１３Ａおよび図１３Ｂはカバーを外した動作前を示す平面図、および、カバーを取り付けた動作前を示す断面図である。
【図１４】図１４Ａおよび図１４Ｂはカバーを外した動作途中を示す平面図、および、カバーを取り付けた動作途中を示す断面図である。
【図１５】図１５Ａおよび図１５Ｂはカバーを外した動作後を示す平面図、および、カバーを取り付けた動作後を示す断面図である。
【００５４】
【図１６】図１６Ａは第４実施形態にかかるスイッチの分解斜視図、図１６Ｂは図１６Ａで示したベースの端子だけを示す斜視図である。
【図１７】図１７Ａおよび図１７Ｂはカバーを外した動作前を示す平面図、および、カバーを取り付けた動作前を示す断面図である。
【図１８】図１８Ａおよび図１８Ｂはカバーを外した動作途中を示す平面図、および、カバーを取り付けた動作途中を示す断面図である。
【図１９】図１９Ａおよび図１９Ｂはカバーを外した動作後を示す平面図、および、カバーを取り付けた動作後を示す断面図である。
【００５５】
【図２０】図２０Ａおよび図２０Ｂ，２０Ｃは本発明にかかるスイッチの第５実施形態を示す斜視図、および、カバーを外した動作前後を示す斜視図である。
【図２１】図２１Ａは図２０Ａで示したスイッチの分解斜視図、図２０Ｂは図２０Ａで示したベースの端子だけを示す斜視図である。
【図２２】図２２Ａおよび図２２Ｂはカバーを外した動作前を示す平面図、および、カバーを取り付けた動作前を示す断面図である。
【図２３】図２３Ａおよび図２３Ｂはカバーを外した動作途中を示す平面図、および、カバーを取り付けた動作途中を示す断面図である。
【図２４】図２４Ａおよび図２４Ｂはカバーを外した動作途中を示す平面図、および、カバーを取り付けた動作途中を示す断面図である。
【図２５】図２５Ａおよび図２５Ｂはカバーを外した動作後を示す平面図、および、カバーを取り付けた動作後を示す断面図である。
【００５６】
【図２６】図２６Ａおよび図２６Ｂ，２６Ｃは本発明にかかるスイッチの第６実施形態を示す斜視図、および、カバーを外した動作前後を示す斜視図である。
【図２７】図２７Ａは図２６Ａで示したスイッチの分解斜視図、図２７Ｂは図２７Ａで示したベースの端子だけを示す斜視図である。
【図２８】図２８Ａおよび図２８Ｂはカバーを外した動作前を示す平面図、および、カバーを取り付けた動作前を示す断面図である。
【図２９】図２９Ａおよび図２９Ｂはカバーを外した動作途中を示す平面図、および、カバーを取り付けた動作途中を示す断面図である。
【図３０】図３０Ａおよび図３０Ｂはカバーを外した動作後を示す平面図、および、カバーを取り付けた動作後を示す断面図である。
【００５７】
【図３１】図３１Ａおよび図３１Ｂ，３１Ｃは本発明にかかるスイッチの第７実施形態を示す斜視図、および、カバーを外した動作前後を示す斜視図である。
【図３２】図３２Ａは図３０Ａで示したスイッチの分解斜視図、図３２Ｂは図３２Ａで示したベースの端子だけを示す斜視図である。
【図３３】図３３Ａおよび図３３Ｂはカバーを外した動作前を示す平面図、および、カバーを取り付けた動作前を示す断面図である。
【図３４】図３４Ａおよび図３４Ｂはカバーを外した動作途中を示す平面図、および、カバーを取り付けた動作途中を示す断面図である。
【図３５】図３５Ａおよび図３５Ｂはカバーを外した動作後を示す平面図、および、カバーを取り付けた動作後を示す断面図である。
【符号の説明】
【００５８】
１０：ベース
１４：突部
２０：共通固定接点端子
２１：共通固定接点
２２：端子部
２３：第２共通固定接点
２４，２７：切換用固定接点端子
２５，２８：切換用固定接点
２６，２９：端子部
３０：操作レバー
３１：軸部
３２：カム部
３３：位置規制用突部
３４：位置規制用突条
４０：スライダー
４１：受圧面
４２：位置規制用凹部
５０：コイルバネ
５１：コイル部
５２，５３：アーム部
５２ａ，５３ａ：接点部
６０：カバー
【図１】
2008010175.tif 000003
【図２】
2008010175.tif 000004
【図３】
2008010175.tif 000005
【図４】
2008010175.tif 000006
【図５】
2008010175.tif 000007
【図６】
2008010175.tif 000008
【図７】
2008010175.tif 000009
【図８】
2008010175.tif 000010
【図９】
2008010175.tif 000011
【図１０】
2008010175.tif 000012
【図１１】
2008010175.tif 000013
【図１２】
2008010175.tif 000014
【図１３】
2008010175.tif 000015
【図１４】
2008010175.tif 000016
【図１５】
2008010175.tif 000017
【図１６】
2008010175.tif 000018
【図１７】
2008010175.tif 000019
【図１８】
2008010175.tif 000020
【図１９】
2008010175.tif 000021
【図２０】
2008010175.tif 000022
【図２１】
2008010175.tif 000023
【図２２】
2008010175.tif 000024
【図２３】
2008010175.tif 000025
【図２４】
2008010175.tif 000026
【図２５】
2008010175.tif 000027
【図２６】
2008010175.tif 000028
【図２７】
2008010175.tif 000029
【図２８】
2008010175.tif 000030
【図２９】
2008010175.tif 000031
【図３０】
2008010175.tif 000032
【図３１】
2008010175.tif 000033
【図３２】
2008010175.tif 000034
【図３３】
2008010175.tif 000035
【図３４】
2008010175.tif 000036
【図３５】
2008010175.tif 000037